(57)【特許請求の範囲】
【請求項１】
上部の一方の側に形成された中空状の第１のヒンジケースを有する下部筐体と；
前記第１のヒンジケースに対向して上部の他方の側に形成された中空状の第２のヒンジケースを有する上部筐体と；
前記第１のヒンジケースの内部に位置して内部空間が形成された固定片と、前記固定片と一体に形成されて前記下部筐体と係合されるＴ字状の第１の固定フランジと、を有する第１のヒンジ部材と；
前記第２のヒンジケースの内部に位置する円筒状の回転ボスと、前記回転ボスと一体に形成されて前記上部筐体と係合されるＴ字状の第２の固定フランジと、を有する第２のヒンジ部材と；
中空状に形成され、一方の端部が前記固定片の内部空間に対応する形状に形成されて回転を防ぎ、且つ、他方の端部が前記回転ボスの内部に内接して前記回転ボスの回転軸となるヒンジ接続軸と；
を備えることを特徴とする折り畳み型個人携帯端末。
【請求項２】
前記第１のヒンジケース及び前記第２のヒンジケースにおいて突き当たる端部にはリング状の第１の突起及び第２の突起がそれぞれ形成され、前記第１の突起及び前記第２の突起をそれぞれ受け止めるための第１の溝及び第２の溝を有する抜け止め具を備えることを特徴とする請求項１に記載の折り畳み型個人携帯端末。
【請求項３】
一方の端部が前記ヒンジ接続軸の内部空間に嵌め入れられる固定カムと、前記固定カムの一部を受け止めて前記ヒンジカバーの内面に収まるカムハウジングと、前記カムハウジングの内部に位置し、前記固定カムの接触面に対して所定の角度にて回転可能な移動カムと、前記移動カムを弾性的に支持するバネと、を有する弾性ヒンジ部と；
前記回転ボスに外接するように円筒状に形成され、前記カムハウジングの外部に外接すると共に、前記回転ボスと前記第２の固定フランジとの接続箇所が挿通するための貫通孔を有するヒンジカバーと；
を備えることを特徴とする請求項１に記載の折り畳み型個人携帯端末。
【請求項４】
前記固定片及び前記ヒンジ接続軸は螺合されていることを特徴とする請求項１に記載の折り畳み型個人携帯端末。
【請求項５】
前記下部筐体及び前記上部筐体を電気的に接続する軟性回路基板をさらに備え、前記ヒンジ接続軸には、前記軟性回路基板が前記下部筐体から前記上部筐体へと通過するための接続通路が形成され、
前記軟性回路基板の筐体は、前記第１の固定フランジに沿って長く延長されて前記接続通路を過ぎ、前記ヒンジ接続軸の外部を経由するようにリング状に形成されることを特徴とする請求項１に記載の折り畳み型個人携帯端末。
【請求項６】
下部筐体及び上部筐体を互いに接続させる折り畳み式ヒンジ装置において、
前記下部筐体の第１のヒンジケースに対向して上部の他方の側に形成された中空状の第２のヒンジケースを有する上部筐体と；
前記第１のヒンジケースに対向して上部の他方の側に形成された中空状の第２のヒンジケースを有する上部筐体と；
前記第１のヒンジケースの内部に位置して内部空間が形成された固定片と、前記固定片と一体に形成されて前記下部筐体と係合されるＴ字状の第１の固定フランジと、を有する第１のヒンジ部材と；
前記第２のヒンジケースの内部に位置する円筒状の回転ボスと、前記回転ボスと一体に形成されて前記上部筐体と係合されるＴ字状の第２の固定フランジと、を有する第２のヒンジ部材と；
中空状に形成され、一方の端部が前記固定片の内部空間に対応する形状に形成されて回転を防ぎ、且つ、他方の端部が前記回転ボスの内部に内接して前記回転ボスの回転軸となるヒンジ接続軸と；
を備えることを特徴とする折り畳み式ヒンジ装置。
【請求項７】
前記第１のヒンジケース及び前記第２のヒンジケースにおいて突き当たる端部にはリング状の第１の突起及び第２の突起がそれぞれ形成され、前記第１の突起及び前記第２の突起をそれぞれ受け止めるための第１の溝及び第２の溝を有する抜け止め具を備えることを特徴とする請求項６に記載の折り畳み式ヒンジ装置。
【請求項８】
一方の端部が前記ヒンジ接続軸の内部空間に嵌め入れられる固定カムと、前記固定カムの一部を受け止めて前記ヒンジカバーの内面に収まるカムハウジングと、前記カムハウジングの内部に位置し、前記固定カムの接触面に対して所定の角度にて回転可能な移動カムと、前記移動カムを弾性的に支持するバネと、を有する弾性ヒンジ部と；
前記回転ボスに外接するように円筒状に形成され、前記カムハウジングの外部に外接すると共に、前記回転ボスと前記第２の固定フランジとの接続箇所が挿通するための貫通ホールを有するヒンジカバーと；
を備えることを特徴とする請求項６に記載の折り畳み式ヒンジ装置。
【請求項９】
前記固定片及び前記ヒンジ接続軸は螺合されていることを特徴とする請求項６に記載の折り畳み式ヒンジ装置。
【発明の詳細な説明】
【技術分野】
【０００１】
本発明は、個人携帯端末に係り、さらに詳しくは、折り畳み式のヒンジ構造を有する個人携帯端末に関する。
【背景技術】
【０００２】
通常、個人携帯端末は、その外形や作動方式によってフリップ式、スライド式、スイング式及び折り畳み式に大別できる。
【０００３】
フリップ式は、通常、液晶ディスプレイ（ＬＣＤ）などのディスプレイ部及びキー入力部を同じ胴体に形成し、下端にヒンジにより接続されたカバーを用いてキー入力部を保護する方式である。
【０００４】
スライド式の個人携帯端末は、２本のスライドパートを重ね合わせ、スライドパートにそれぞれディスプレイ部及びキー入力部を同じ方向を向くようにして配置する方式の個人携帯端末である。通常、スライド式の個人携帯端末は、前方のスライドパートを相対的にスライド移動させて、背面に隠れているディスプレイ部またはキー入力部を露出させている。
【０００５】
スイング式の個人携帯端末は、２個の端末本体を互いに向かい合わせて配置し、一方の端末本体をもう一方の端末本体に平行な状態にして維持しながら３６０°回転して移動するものである。この種の方式をスイング式の個人携帯端末と呼び、それぞれの端末本体の位置をユーザーの希望の通りにできることから、近年、爆発的な人気を引き寄せている。
【０００６】
最後に、折り畳み式は、２個の折り畳みパートをヒンジにより接続して開閉可能となっているものであり、互いに向かい合う面にそれぞれメインディスプレイ部及びキー入力部を設ける方式を取っている。折り畳み式の個人携帯端末は、上・下部筐体を閉じてディスプレイ部及びキー入力部を保護することができ、両筐体部を開いて電話を受信したりキー入力により目的の機能を行うことができる。
【０００７】
図１は、従来のディスプレイ装置が回転する折り畳み型携帯電話を説明するための斜視図である。
【０００８】
図１を参照すると、従来の折り畳み型携帯電話は、下部筐体１０及び上部筐体２０を備え、両胴体はヒンジ部材３０により互いに回転可能に接続されている。下部筐体１０は、キー入力部１２、マイク１４、内部回路及びバッテリーなどを備え、これに対応して、上部筐体２０は、液晶ディスプレイ２２、レシーバー２４などを備える。
【０００９】
また、ヒンジ部材３０の取り付けのために、下部筐体１０の上端の両側にはヒンジ部材３０を受け止めるための第１のヒンジ受け部１６が形成されており、第１のヒンジ受け部１６に対応して、上部筐体２０の下端の中央には第２のヒンジ受け部２６が形成されている。
【００１０】
図示のごとく、ヒンジ部材３０は、第２のヒンジ受け部２６の一側面に取り付けられた弾性ヒンジ部３２及び前記弾性ヒンジ部３２の反対側において第１のヒンジ受け部１６に取り付けられたヒンジダミー３４を備える。弾性ヒンジ部３２は、固定突起、第１のカム、第２のカム及びバネを備え、弾性ヒンジ部３２の前記部品が一列に第２のヒンジ受け部２６内に作り込まれる。ヒンジダミー３４は概略弾性ヒンジ部３２の反対側に位置して、下部筐体１０と上部筐体２０を安定的に固定する機能を行う。また、ヒンジダミー３４はカムまたはバネなどを備えていないが、場合によっては、弾性ヒンジ部３２と共にカム及びバネなどを備えることもある。
【００１１】
図２は、本発明の一実施の形態による個人携帯端末を説明するための斜視図である。
【００１２】
図２を参照すると、従来の折り畳み型携帯電話において、弾性ヒンジ部３２は、第１のヒンジ受け部１６から側面に向かって張り出された固定突起３３を備え、固定突起３３が隣り合う第１のヒンジ受け部１６に嵌着されることにより回転軸として機能することができる。しかしながら、固定突起３３が小さなため、隣り合うヒンジ受け部が軸以外の方向にぐらついて安定的な回転をすることができない場合がある。このため、従来の携帯電話において胴体同士を繋ぐヒンジ構造は、ヒンジ受け部の両側において固定されるといった構造的な特性を有し、どちらか一方だけを支持するだけでは安定的な構造を有することができない。このとき、ヒンジ受け部の両側には弾性ヒンジ部及びヒンジダミーが使用可能であり、あるいは、両側ともに弾性ヒンジ部が用いられる場合もある。
【００１３】
従来の折り畳み型携帯電話は、上部筐体２０の両側において、下部筐体１０が両端部を回転軸として回転可能に接続される。このため、それぞれの胴体を繋ぐヒンジ構造においてヒンジが占める部分がかなり広いため、広い取り付け空間を取ってしまう。このため、他の装置をさらに取り付けることができないなど、携帯電話における空間活用度が落ちてしまう。また、このような不具合により携帯電話をコンパクトに製造することが困難になる。
【発明の開示】
【発明が解決しようとする課題】
【００１４】
本発明は、上述の事情に鑑みてなされたものであり、その目的は、１本の回転軸により接続されるヒンジ構造であって、安定的な回転ヒンジ構造を有し、且つ、軟性回路基板の電気的な連結通路を形成するヒンジ構造及び個人携帯端末を提供することにある。
【００１５】
また、本発明の他の目的は、下部筐体及び上部筐体を安定的に回転することにより、１本の回転軸による支持構造を実現することができ、且つ、ヒンジ構造内に最大限の空間が確保可能な個人携帯端末を提供することにある。
【００１６】
さらに、本発明のさらに他の目的は、下部筐体及び上部筐体が左右に分離されるような現象を防ぐことのできる個人携帯端末を提供することにある。
【課題を解決するための手段】
【００１７】
上記の諸目的を達成するために、本発明の好適な実施の形態によれば、個人携帯端末は、下部筐体、上部筐体、第１のヒンジ部材、第２のヒンジ部材及びヒンジ接続軸を供える。
【００１８】
下部筐体は、個人携帯端末の胴体の一つであり、上部の一方の側に形成された中空状の第１のヒンジケースを備え、上部筐体と回転可能に接続できる。中空状の第１のヒンジケースには、ヒンジ装置だけではなく、カメラなどの付加機能を行うものも同時に収納する。そして、上部筐体は、第１のヒンジケースに対向して上部の他方の側に形成された中空状の第２のヒンジケースを備える。第１のヒンジ部材は、下部筐体に固定され、第１のヒンジケースの内部に位置する固定片及び前記固定片と一体に形成されて前記下部筐体と係合されるＴ字状の第１の固定フランジを備える。第１の固定フランジは、下部筐体に横軸に長く取り付けられて安定的に結束できる。第２のヒンジ部材は、第２のヒンジケースの内部に位置する円筒状の回転ボスと、回転ボスと一体に形成されて上部筐体と係合されるＴ字状の第２の固定フランジと、を備える。第２のヒンジ部材は、第１のヒンジ部材と対応するように上部筐体に横軸に長く固定されて安定的に結束できる。ヒンジ接続軸は、一方の端部が固定片に固定され、且つ、他方の端部が回転ボスの内部に内接して前記第２のヒンジ部材の回転軸となる。
【００１９】
従来の折り畳み式ヒンジ装置は、下部筐体に上部筐体の両端部が回転軸により接続されて、ヒンジが占める部分がかなり広いため、取り付け空間が広くて他の付加装置をさらに取り付けることができないなど、携帯電話の空間活用度が落ちる。このような不具合を解決するために、下部筐体及び上部筐体が互いに１本の回転軸により接続されるように取り付ける場合があるが、このような構造においては、下部筐体及び上部筐体を繋ぐ構造が安定しておらず、下部筐体において上部筐体がぐらつくことになる。
【００２０】
しかしながら、本発明による折り畳み式ヒンジ装置は、Ｔ字状に製造された第１の固定フランジ及び第２の固定フランジが下部筐体及び上部筐体にそれぞれ安定的に固定されることから、ぐらつくことなく安定的に開閉される。そして、下部筐体及び上部筐体が１本の軸により互いに繋がれ合うことから、カメラのような付加装置を取り付ける空間が確保され、その結果、付加装置を取付けできるなど、空間活用度が高い。
【００２１】
また、折り畳み型個人携帯端末は、第１のヒンジケース及び第２のヒンジケースにおいて突き当たる端部にリング状の第１の突起及び第２の突起がそれぞれ形成され、第１の突起及び第２の突起をそれぞれ受け止めるための第１の溝及び第２の溝を有する抜け止め具をさらに備える場合がある。このため、下部筐体及び上部筐体がそれぞれ抜け止め具により互いに分離しないように左右に移動しないため、より安定的な構造を有することができる。
【００２２】
この明細書において、個人携帯端末とは、ＰＤＡ（PersonalDigital Assistant）、スマートフォン、手持ちＰＣ、携帯電話、ＭＰ３プレーヤーなどの携帯用電気電子装置であり、ＣＤＭＡ（Code Division Multiplexing Access）モジュール、ブルートゥースモジュール、赤外線通信モジュール（ＩｒＤＡ）、有無線ＬＡＮカードなどの所定の通信モジュールを備えることができ、マルチメディア再生機能を行う所定のマイクロプロセッサーを搭載することにより、所定の演算能力を取り揃えた端末を通称する概念として用いられる。
【発明の効果】
【００２３】
本発明による折り畳み型個人携帯端末は、Ｔ字状に製造された第１の固定フランジ及び第２の固定フランジが下部筐体及び上部筐体にそれぞれ安定的に固定されることから、ぐらつくことなく安定的に開閉される。そして、下部筐体及び上部筐体が１本の軸により互いに繋がれ合うような単軸支持式のヒンジ構造を適用することから、独自のデザインに製造することができ、カメラモジュールなどの付加装置を取り付けできるなど、空間活用度が高い。
【００２４】
また、本発明による折り畳み型個人携帯端末は、下部筐体及び上部筐体がそれぞれ抜け止め具により互いに分離しないように左右に移動しないため、より安定的なヒンジ構造を有することができる。さらに、ヒンジ装置に弾性ヒンジ部を載置して半自動的に開閉可能であることから、ユーザーがより便利に個人携帯端末を開閉することができる。
【発明を実施するための最良の形態】
【００２５】
以下、添付図面に基づき、本発明の好適な実施の形態を詳細に説明するが、本発明が実施例によって制限または限定されないことは言うまでもない。
【００２６】
図３は、本発明の一実施の形態による個人携帯端末を説明するための斜視図であり、図４は、図３の個人携帯端末が開放された状態を説明するための斜視図であり、図５は、図３の個人携帯端末を説明するための分解斜視図である。
【００２７】
図３ないし図５を参照すると、個人携帯端末は、下部筐体１１０、上部筐体１２０、第１のヒンジ部材１３０、第２のヒンジ部材１４０、ヒンジ接続軸１５０、抜け止め具１６０、ヒンジカバー１７０、弾性ヒンジ部１８０及び軟性回路基板１９０を備える。
【００２８】
具体的に、下部筐体１１０は、キー入力部１１２及びバッテリーを備え、下部筐体１１０の内部には通信モジュール及び内部回路が作り込まれている。また、下部筐体１１０の正面の下端部にはマイク１１４が組み込まれて、受信者と電話通話を行うことができる。そして、下部筐体１１０の上端部には第１のヒンジ部材１３０が取り付けられる。第１のヒンジ部材１３０の第１の固定フランジ１３４は下部筐体１１０に横軸に長く位置するように固定される。下部筐体１１０の上部の一方の側には中空状の第１のヒンジケース１１１が設けられ、第１のヒンジ部材１３０の固定片１３２が第１のヒンジケース１１１の内部に位置することになる。第１のヒンジケース１１１にはカメラモジュール、全域位置システムモジュール、その他の通信モジュールなどの付加機能を有するモジュールを取り付けることができる。
【００２９】
上部筐体１２０は、液晶ディスプレイ部（ＬＣＤ）１２２及びレシーバー１２４を備え、下部筐体１１０の第１のヒンジケース１１１に対応して、上部筐体１２０の上端部にも第２のヒンジケース１２６が設けられている。第２のヒンジケース１２６の内部には回転ボス１４２が位置するように第２のヒンジ部材１４０が取り付けられ、上部筐体１２０の内部には第２のヒンジ部材１４０の第２の固定フランジ１４４が横軸に長く固定される。
【００３０】
図３及び図４を参照すると、折り畳み型個人携帯端末は、最初に用いる前に、下部筐体１１０及び上部筐体１２０が重なり合う位置に置かれる。そして、電話通話と一緒に個人携帯端末を用いる場合には、下部筐体１１０から上部筐体１２０を反らすと、ヒンジ装置によって上部筐体１２０が所定の角度をなすように回転し、この状態を開放された状態であると言える。
【００３１】
図６は、本発明の一実施の形態による個人携帯端末のヒンジ装置を説明するためのヒンジ装置のヒンジ装置の分解斜視図であり、図７は、図６の第２のヒンジ部材の取り付け個所を説明するための上部筐体の背面図であり、図８は、図６の第１のヒンジ部材の取り付け個所を説明するための下部筐体の背面図である。
【００３２】
図６ないし図８を参照すると、第１のヒンジ部材１３０は、下部筐体１１０に固定され、第２のヒンジ部材１４０と回転可能に接続されて上部筐体１２０を下部筐体１１０に回転可能にする。第１のヒンジ部材１３０は、固定片１３２及び第１の固定フランジ１３４を備える。固定片１３２は第１のヒンジケース１１１の内部に位置し、中央に内部空間１３２ａが形成される。内部空間１３２ａにはヒンジ接続軸１５０の一方の端部を嵌め込んで固定片１３２とヒンジ接続軸１５０を一緒に固定する。固定片１３２は六面体状に形成され、他の実施の形態においては、設計者の意図の通りに固定片１３２の形状を多様にすることができる。第１の固定フランジ１３４はＴ字状に形成され、端部には固定片１３２が一体に形成されて下部筐体１１０と係合される。図８に示すように、第１の固定フランジ１３４は下部筐体１１０の内部に横方向に長く取り付けられる。第１の固定フランジ１３４は両端部が下部筐体１１０の内部に広い面積にて固定されるため、外部よりの衝撃にもぐらつくことなく、第１のヒンジケース１１１と下部筐体１１０を安定的に固定することができる。
【００３３】
第２のヒンジ部材１４０は上部筐体１２０に固定され、第１のヒンジ部材１３０と回転可能に接続される。第２のヒンジ部材１４０は回転ボス１４２及び第２の固定フランジ１４４を備える。回転ボス１４２は第２のヒンジケース１２１の内部に位置し、中空状の円筒状に形成される。回転ボス１４２の円筒状の内部空間にはヒンジ接続軸１５０の他方の端部が嵌着され、第１のヒンジ部材１３０と回転可能に接続できる。第２の固定フランジ１４４はＴ字状に形成され、端部には回転ボス１４２と一体に形成されて上部筐体１２０と係合される。図７に示すように、第２の固定フランジ１４４は上部筐体１２０の内部に横方向に長く取り付けられる。
【００３４】
ヒンジ接続軸１５０は固定片１３２及び回転ボス１４２を通過するように取り付けられ、一方の端部が固定片１３２に固定され、他方の端部が回転ボス１４２の内面に内接するように形成される。固定片１３２の中央には内部空間１３２ａが形成され、ヒンジ接続軸１５０の一方の端部の内部空間１３２ａに対応する形状に形成され、内部空間１３２ａに嵌め込まれて固定片１３２及びヒンジ接続軸１５０は螺合される。このため、ヒンジ接続軸１５０は固定片１３２と固定されて回転せず、回転ボス１４２の内面において回転ボス１４２の回転軸となる。そして、内部には回転ボス１４２とヒンジ接続軸１５０に軟性回路基板１９０が通過するための接続通路１５２が設けられる。
【００３５】
抜け止め具１６０は、第１のヒンジ部材１３０及び第２のヒンジ部材１４０の間に位置し、下部筐体１１０及び上部筐体１２０が左右に分離することを防ぐ役割を果たす。上部筐体１２０と隣り合う下部筐体１１０の端部にはリング状の第１の突起１１６が形成され、下部筐体１１０と隣り合う上部筐体１２０の端部にはリング状の第２の突起１２６が形成される。抜け止め具１６０の外面には第１の突起１１６と係合されるための第１の溝１６２及び第２の突起１２６と係合されるための第２の溝１６４が設けられている。このため、下部筐体１１０及び上部筐体１２０は抜け止め具１６０の第１の溝１６２及び第２の溝１６４に結束されて左右に分離することがなく、一層安定した折り畳みヒンジ構造を実現することができる。
【００３６】
ヒンジカバー１７０は、回転ボス１４２に外接するように円筒状に形成され、回転ボス１４２と第２の固定フランジ１４４との接続個所が通過するための貫通ホール１７２を備える。ヒンジカバー１７０は弾性ヒンジ部１８０の端部と接続されて半自動的に回転できる力を上部筐体１２０に伝える。そして、上部筐体１２０が回転すると、前記接続の個所によってヒンジカバー１７０も連れ移動され、弾性ヒンジ部１８０においては、弾性力により、一定の距離前には開放されない方向にヒンジカバー１７０に力を加え、一定の距離後には自動的に開放される方向にヒンジカバー１７０に力を伝えることになる。しかしながら、本発明の他の実施の形態においては、設計者の意図の通りにヒンジカバーを省いて単純に製造することもできる。
【００３７】
図９は、本発明の一実施の形態による個人携帯端末のヒンジ装置を説明するための部分断面図である。
【００３８】
図９を参照すると、弾性ヒンジ部１８０は、中空状のヒンジ接続軸１５０とヒンジカバー１７０に接続されて、下部筐体１１０と上部筐体１２０が２個のカムにより一定の角度だけ半自動的に回転するように弾性力を下部筐体１１０及び上部筐体１２０に伝える。弾性ヒンジ部１８０は、固定カム１８２、カムハウジング１８４、移動カム１８６及びバネ１８８を備える。固定カム１８２は、一方の端部が付加ヒンジ接続軸１５０の内部空間に嵌着される。このとき、ヒンジ接続軸１５０は、非円形に製造されて挿入された固定カム１８２が回転しないようにする。カムハウジング１８４は、固定カム１８２の一部を受け止めてヒンジカバー１７０の内面に取着される。そして、カムハウジング１８４は非円形に形成されて、ヒンジカバー１７０の内部において空回転しないように設計される。カムハウジング１８４の内部空間には移動カム１８６及び１８８が設けられる。移動カム１８６は固定カム１８２の接触面に沿って移動し、固定カム１８２には斜面が形成されて、一定の距離は手動にて移動し、残りの距離は自動的に移動することができる。バネ１８８は、移動カム１８６の端部に位置して移動カム１８６を弾性的に支持することができる。このため、カムハウジング１８４は固定カム１８２から回転し、弾性ヒンジ部１８０により半自動的に回転する力をヒンジカバー１７０に伝え、ヒンジカバー１７０に従属する第２のヒンジ部材１４０にその力を伝える。
【００３９】
軟性回路基板１９０は、下部筐体１１０及び上部筐体１２０を電気的に接続する役割を果たし、一方の側が下部筐体１１０の内部回路に取り付けられ、他方の側は上部筐体１２０の内部回路に取り付けられる。このとき、軟性回路基板１９０は一方の端部が下部筐体１１０の内部回路に取り付けられ、軟性回路基板１９０の胴体は第１のヒンジ部材１３０の第１の固定フランジ１３４に沿って長く延設され、回転ボス１４２とヒンジ接続軸１５０との間に設けられている接続通路１５２を通るような形状である。そして、軟性回路基板１９０の胴体はヒンジ接続軸１５０の外部を経由するようにリング状に形成され、貫通ホール１７２を介して上部筐体１２０の内部に通過し、軟性回路基板１９０の他方の端部が上部筐体１２０の内部回路と電気的に接続される。このため、個人携帯端末には軟性回路基板１９０の電気的な接続通路１５２を形成し、下部筐体及び上部筐体１２０が開閉されるときに回路基板に無理を与えないため、下部筐体１１０及び上部筐体１２０間の接続不良を防ぐことができる。
【００４０】
このため、本発明による折り畳み式ヒンジ装置は、Ｔ字状に製造された第１の固定フランジ１３４及び第２の固定フランジ１４４が下部筐体１１０及び上部筐体１２０にそれぞれ安定的に固定されることから、ぐらつくことなく安定的に開閉される。そして、下部筐体１１０及び上部筐体１２０が１本の軸により互いに接続されることから、カメラのような付加装置を取り付けるための空間が十分に取られ、その結果、空間活用度が高い。
【００４１】
また、本発明による折り畳み型個人携帯端末は、第１のヒンジケース１１１及び第２のヒンジケース１２１において突き当たる端部にはリング状の第１の突起１１６及び第２の突起１２６がそれぞれ形成され、第１の突起及び第２の突起をそれぞれ受け止めるための第１の溝及び第２の溝を有する抜け止め具１６０をさらに備えることもできる。このため、下部筐体１１０及び上部筐体１２０がそれぞれ抜け止め具１６０により互いに分離されないように左右に移動しないため、一層安定した構造を有することができる。
【００４２】
以上、本発明による折り畳み式ヒンジ装置及び折り畳み式ヒンジ装置を用いた個人携帯端末を説明したが、これは単なる例示的なものに過ぎず、本発明はこれらの実施の形態に限定されるものではなく、特許請求の範囲において請求するように、本発明の要旨から逸脱しない範囲内で、本発明の属する分野において通常の知識を有する者であれば、誰でも各種の変更実施が可能な範囲まで本発明の技術的な精神があると言えるであろう。
【図面の簡単な説明】
【００４３】
【図１】従来のディスプレイ装置が回転する折り畳み型携帯電話を説明するための斜視図である。
【図２】従来のディスプレイ装置が回転する折り畳み型携帯電話を説明するための斜視図である。
【図３】本発明の一実施の形態による個人携帯端末を説明するための斜視図である。
【図４】図３の個人携帯端末が開放された状態を説明するための斜視図である。
【図５】図３の個人携帯端末を説明するための分解斜視図である。
【図６】本発明の一実施の形態による個人携帯端末のヒンジ装置を説明するためのヒンジ装置のヒンジ装置の分解斜視図である。
【図７】図６の第２のヒンジ部材の取り付け個所を説明するための上部筐体の背面図である。
【図８】図６の第１のヒンジ部材の取り付け個所を説明するための下部筐体の背面図である。
【図９】図６の個人携帯端末のヒンジ装置を説明するための部分断面図である。
【符号の説明】
【００４４】
１１０    下部筐体
１２０    上部筐体
１３０    第１のヒンジ部材
１４０    第２のヒンジ部材
１５０    ヒンジ接続軸
１６０    抜け止め具
１７０    ヒンジカバー
１８０    弾性ヒンジ部
１９０    軟性回路基板
【図１】
0004566181.tif 000002
【図２】
0004566181.tif 000003
【図３】
0004566181.tif 000004
【図４】
0004566181.tif 000005
【図５】
0004566181.tif 000006
【図６】
0004566181.tif 000007
【図７】
0004566181.tif 000008
【図８】
0004566181.tif 000009
【図９】
0004566181.tif 000010